(57)【要約】【課題】簡単に解体できる手段を設けてあることで外観が見苦しくなることがなく、しかも綺麗に解体できるようにした紙カートンを提供する。【解決手段】各端面フラップ１７，１９には底面側端面パネル１６と重ならないところにミシンαで囲まれた破断領域１７ａ，１９ａが区画されており、上面側端面パネル１８は底面側端面パネル１６と貼り合わせられているとともに、端面フラップ１７，１９ともそれらの破断領域１７ａ，１９ａのところで貼り合わせられている。上面側端面パネル１８を底面側端面パネル１６から剥がすと、その勢いで端面フラップ１７，１９の破断領域１７ａ，１９ａがミシン目αで破られて上面側端面パネル１８の裏側に付いた状態になり、上面側端面パネル１８を底面側端面パネル１６のみならず端面パネル１７，１９とも離れた状態にできる。【選択図】図１
2007276862.tif 000002
【特許請求の範囲】
【請求項１】
直方体形状であって、両方の端面が、両サイドの端面フラップを折り込んでから底面パネルに連設する底面側端面パネルと上面パネルに連設する上面側端面パネルとをこの順で折り曲げて貼着することでそれぞれ形成されてなる紙カートンにおいて、各端面フラップには底面側端面パネルと重ならないところにミシンで囲まれた破断領域が区画されており、上面側端面パネルは底面側端面パネルと貼り合わせられているとともに、端面フラップともそれらの破断領域のところで貼り合わせられていることを特徴とする紙カートン。
【発明の詳細な説明】
【技術分野】
【０００１】
本発明は、厚紙からなる紙カートンの技術分野に属し、特に、ティッシュペーパーやコットンなどを収納するのに好適に用いられている直方体形状の紙カートンに関するものである。
【背景技術】
【０００２】
従来より、ティッシュペーパーやコットンなどを収納する容器として、直方体形状の紙カートンが一般的に広く利用されている。この直方体形状の紙カートンは、サック貼りしたブランクを起こして角筒状とした後、底面パネルと上面パネルにそれぞれ連設する端面パネル同士を端面フラップ上にて貼着することによって両方の端面をそれぞれ形成することで作製される。この紙カートンには、上面に位置する若しくは上面から前面にかかる取出し口を形成するためのミシン目等からなる開封手段が設けられている。したがって、使用時に際しては、この開封手段を利用して取出し口を形成し、そこから中のティッシュペーパーやコットンなどを取り出すようになっている。
【０００３】
このタイプの直方体形状をした紙カートンは、上記したような簡単な構造であるわりには比較的丈夫である。このため、廃棄時において解体することが困難で、無理矢理破って廃棄する方法を採らざるを得なかった。そこで、使用後に廃棄するに際して、簡単に解体できて折り畳むことができるようにした紙カートンが種々提案されている。
【０００４】
このような簡単に解体できる紙カートンの一つとして、例えば特許文献１に記載のものがある。この文献に示される紙カートンでは、底面パネルの長手方向両側縁に連設する底面側端面パネルに対して、切開用ミシン目が底面側端面パネルの中央線を軸としてハの字状に対称的に形成されており、底面パネルには切開用ミシン目の各端点を起点とする円弧形状の押込用ミシン目が形成されている。したがって、押込用ミシン目を指で押し破り、そのまま押し開くことにより切開用ミシン目に沿って切り離すことができる。そして、切開用ミシン目を切り離したならば、底面側端面パネルと上面側端面パネルとを一体としたまま押し広げて、端面フラップとの貼着部を引き剥がし、その後は端面フラップを展開して箱全体を折り畳むことができる。
【特許文献１】特開平８−２５３２７５号公報
【発明の開示】
【発明が解決しようとする課題】
【０００５】
上記した特許文献１に記載の紙カートンは、使用後に小さな力で簡単に解体できて折り畳むことができるものではあるが、次のような問題点がある。すなわち、切開用ミシン目を上面側端面パネルと底面側端面パネルとの貼り合わせ部分にかからないように形成しているため、切開用ミシン目が表側に露出することになり、外観上見苦しい上に、取扱い時の外力により過って破れてしまう恐れがある。また、切開用ミシン目の広がりが大きくなるため、切開用ミシン目に沿って真っ直ぐ切れるように力がかからず、途中から内側にずれて指先の方向に破れることがあり、綺麗に解体することができない。
【０００６】
本発明は、このような問題点に鑑みてなされたものであり、その目的とするところは、簡単に解体できる手段を設けてあることで外観が見苦しくなることがなく、しかも綺麗に解体できるようにした紙カートンを提供することにある。
【課題を解決するための手段】
【０００７】
上記の目的を達成するため、本発明の紙カートンは、直方体形状であって、両方の端面が、両サイドの端面フラップを折り込んでから底面パネルに連設する底面側端面パネルと上面パネルに連設する上面側端面パネルとをこの順で折り曲げて貼着することでそれぞれ形成されてなる紙カートンにおいて、各端面フラップには底面側端面パネルと重ならないところにミシンで囲まれた破断領域が区画されており、上面側端面パネルは底面側端面パネルと貼り合わせられているとともに、端面フラップともそれらの破断領域のところで貼り合わせられていることを特徴としている。
【発明の効果】
【０００８】
本発明の紙カートンは、解体に寄与する端面フラップの破断領域が上面側端面パネルに覆われて隠れた状態になるため、解体手段を設けてあるにも関わらず、外観が見苦しくなく、しかも、取扱い時の外力により端面フラップの破断領域が過って破れるようなこともない。そして、上面側端面パネルを底面側端面パネルから剥がすと、その勢いで端面フラップの破断領域がミシン目で破られて上面側端面パネルの裏側に付いた状態になり、上面側端面パネルを底面側端面パネルのみならず端面パネルとも離れた状態にできることから、簡単にしかも綺麗に解体することができる。
【発明を実施するための最良の形態】
【０００９】
次に、本発明の実施の形態について図面を参照しながら詳細に説明する。
【００１０】
図１は本発明に係る紙カートンの一例を示す斜視図、図２は図１の紙カートンを形成するブランクの平面図である。
【００１１】
図１の紙カートンＡはコットン用を収納するためのもので、外観は直方体形状であり、図２に示すブランクＢを組み立てて作製される。
【００１２】
ブランクＢは、紙カートン用の板紙を打ち抜いて形成したもので、図示のように、折線ａ，ｂ，ｃ，ｄを介して糊代フラップ１１、底面パネル１２、背面パネル１３、上面パネル１４、前面パネル１５が順次連設されている。底面パネル１２の左右辺にはそれぞれ折線ｅ，ｆを介して底面側端面パネル１６が連設され、背面パネル１３の左右辺にはそれぞれ折線ｇ，ｈを介して端面フラップ１７が連設され、上面パネル１４の左右辺にはそれぞれ折線ｉ，ｊを介して上面側端面パネル１８が連設され、前面パネル１５の左右辺にはそれぞれ折線ｋ，ｌを介して端面フラップ１９が連設されている。
【００１３】
そして、背面パネル１３の左右辺にそれぞれ連設した各端面フラップ１７には、上面パネル１４の方に寄った位置に長円状の破断領域１７ａがそれぞれミシン目αにより区画されており、前面パネル１５の左右辺にそれぞれ連設した各端面フラップ１９には、同様に、上面パネル１４の方に寄った位置に長円状の破断領域１９ａがそれぞれミシン目αにより区画されている。
【００１４】
底面側端面パネル１６と上面側端面パネル１８は、いずれも背面パネル１３及び前面パネル１５の幅（箱の高さ）よりも小さい幅をしているが、重なり合う部分があるサイズになっている。そして、底面側端面パネル１６には、ブランクＢを箱形状に組み立てた時に端面フラップ１７，１９の破断領域１７ａ，１９ａに重ならないようにするため、先端の両端に湾曲状の切欠部分１６ａが形成されている。また、上面側端面パネル１８には、その先端縁の中央に指先が入るサイズの円弧状の切欠１８ａが形成されている。
【００１５】
前面パネル１５には、先端縁の中央に摘み部分１５ａが形成され、その摘み部分１５ａの両側から末広がり状に延びる開封用の２本のミシン目βが形成されており、上面パネル１４には前面パネル１５のミシン目βに連続して同じく開封用のミシン目γが平行状態で反対側に至るまで形成されている。前面パネル１５のミシン目βにおける末広がり部分は図示のように連続する「く」の字状の切込みにより形成されている。これらのミシン目β，γで囲まれる部分が開封部分を形成するようになっている。
【００１６】
また、糊代フラップ１１の中央には、前面パネル１５の摘み部分１５ａに対応する位置に係止用のスリット１１ａが設けられている。また、糊代フラップ１１と底面パネル１２の境界に位置する折線ａは、図示のように、その中央部分で２本になって膨らんでおり、折り曲げた時に指先用の窪みを形成するようになっている。
【００１７】
このブランクＢは、糊代フラップ１１の表側を前面パネル１５の先端部裏側に貼り合わせたサック貼り状態で折り畳まれる。この時、開封部分を除いた部分で糊付けする。そして、この折り畳んだブランクＢから紙カートンＡを組み立てるには、まず、折り畳んだブランクＢを角筒状に起こした後、一方の端面側で、端面フラップ１７，１９をそれぞれ内側に折り曲げてから、底面側端面パネル１６と上面側端面パネル１８を順次折り曲げて貼り合わせる。この時、端面フラップ１７，１９は、破断領域１７ａ，１９ｂのある部位を貼着部１７ｂ，１９ｂとし、ここに糊付けして上面側端面パネル１８と貼着するとともに、底面側端面パネル１６は、上面側端面パネル１８と重なる先端付近を貼着部１６ｂとし、ここに糊付けして上面側端面パネル１８と貼着する。次いで、他方の端面側から内容物を投入してから、他方の端面側も同様に閉じる。このようにして図１に示す内容物が入った紙カートンＡが作製される。
【００１８】
このようにして作製された紙カートンＡは、各端面フラップ１７，１９には底面側端面パネル１２と重ならないところにミシンαで囲まれた破断領域１７ａ，１９ａが区画されており、上面側端面パネル１８は底面側端面パネル１６と貼り合わせられているとともに、端面フラップ１７，１９ともそれらの破断領域１７ａ，１９ａのところで貼り合わせられたものとなる。
【００１９】
この紙カートンＡを使用するに際しては、前面パネル１５の摘み部分１５ａを引っ張ることで２本のミシン目βに沿って前面パネル１５を破断し、そのまま引っ張ることで上面パネル１４のミシン目γを破断して取出し口を形成する。そして、その取出し口から中のコットンを取り出して使用する。
【００２０】
この紙カートンＡは使用後に解体するが、その手順について裏返しで図示した図３を参照して説明すると次のようである。まず、紙カートンＡを押さえるか手で把持するかして、上面側端面パネル１８の先端縁にある円弧状の切欠１８ａに指先をかけて上面側端面パネル１８を押し広げるようにする。すると、底面側端面パネル１６の貼着部１６ａが剥がれ、そのままの勢いでさらに押し広げることにより、端面フラップ１７，１９の破断領域１７ａ，１９ａがミシン目αで破られて上面側端面パネル１８の裏側に付いた状態になる。このようにして、ワンタッチで、上面側端面パネル１８を底面側端面パネル１６のみならず端面パネル１７，１９とも離れた状態にすることができる。そして、反対側の端面も同時か或いは引き続いて剥がすことにより、紙カートンＡを簡単に押しつぶすことができる。破られるのは端面フラップ１７，１９にミシン目で区画した破断領域１７ａ，１９ａだけで済むので、綺麗に解体することができる。
【００２１】
以上、本発明の実施の形態について詳細に説明してきたが、本発明による紙カートンは、上記実施の形態に何ら限定されるものではなく、本発明の趣旨を逸脱しない範囲において種々の変更が可能であることは当然のことである。
【００２２】
例えば、本発明の紙カートンは、コットンを収納するタイプに限らず、ティッシュペーパーやその他のものを収納するタイプであってもよい。また、内容物の取出し口は上面から前面にかけて設けたものに限らず、上面にのみ設けたものであってもよい。
【図面の簡単な説明】
【００２３】
【図１】本発明に係る紙カートンの一例を示す斜視図である。
【図２】図１の紙カートンを形成するブランクの平面図である。
【図３】図１の紙カートンを解体する手順の説明図である。
【符号の説明】
【００２４】
Ａ  紙カートン
Ｂ  ブランク
ａ〜ｌ  折線
α〜γ  ミシン目
１１  糊代フラップ
１１ａ  スリット
１２  底面パネル
１３  背面パネル
１４  上面パネル
１５  前面パネル
１５ａ  摘み部分
１６  底面側端面パネル
１６ａ  切欠
１６ｂ  貼着部
１７  端面フラップ
１７ａ  破断領域
１７ｂ  貼着部
１８  上面側端面パネル
１８ａ  切欠
１９  端面フラップ
１９ａ  破断領域
１９ｂ  貼着部
【図１】
2007276862.tif 000003
【図２】
2007276862.tif 000004
【図３】
2007276862.tif 000005